(57)【要約】防水性・透湿性の靴（１０）であって、甲革（１２）とこれの内側にある防水性・透湿性機能層（１３）とから構成された甲革組付体（１１）と、防水性材料から作られて甲革組付体（１１）へその下方で接合された接地体部分（１５）と、この靴（１０）の内側に画定された足挿入空間（Ａ）の下方に設けられてユーザの足を収容する透湿層（１６）とを備えてなる防水性・透湿性の靴（１０）。  開口（１７）が設けられ、この開口は、靴（１０）に対して側方にあり、透湿層（１６）の周辺端縁（１６ａ）へ向かって開放しており、  この靴（１０）は、周辺端縁（１６ａ）と開口（１７）との間に介在された防水性・透湿性機能要素（１８）と、機能層（２１３）の機能部分（２１３ａ）とを選択的に有し、透湿層（１６）が繊維質、多孔質あるいは微孔質の材料から選択された透湿性材料で作られていることを特徴とする。【選択図】図１
2015500106.tif 000002
【特許請求の範囲】
【請求項１】
防水性・透湿性の靴（１０，１００，２００，３００，４００）であって、
少なくとも１つの甲革（１２，１１２，２１２，３１２，４１２）とこれの内側にある防水性・透湿性機能層（１３，１１３，２１３，３１３，４１３）とから構成された甲革組付体（１１，２１１）と、
防水性材料から作られて前記甲革組付体（１１，２１１）へその下方で接合された接地体部分（１５，１１５，２１５，３１５，４１５）と、
この靴（１０，１００，２００，３００，４００）の内側に画定された足挿入空間（Ａ）の下方に設けられてユーザの足を収容する少なくとも１つの透湿層（１６，１１６，２１６，３１６，４１６）と
を備えてなり、
少なくとも１つの開口（１７，１１７，２１７，３１７，４１７）が設けられ、この開口は、この靴（１０，１００，２００，３００，４００）に対して側方にあり、前記接地体部分（１５，１１５，２１５，３１５，４１５）への前記甲革組付体（１１，２１１）の結合の領域に近接しており、前記少なくとも１つの開口（１７，１１７，２１７，３１７，４１７）は、前記少なくとも１つの透湿層（１６，１１６，２１６，３１６，４１６）の周辺端縁（１６ａ，１１６ａ，２１６ａ，３１６ａ，４１６ａ）へ向かって開放しており、
この靴（１０，１００，２００，３００，４００）は、前記少なくとも１つの開口（１７，１１７，２１７，３１７，４１７）から到来する水が前記少なくとも１つの透湿層（１６，１１６，２１６，３１６，４１６）へ接近するのを阻止するように、前記周辺端縁（１６ａ，１１６ａ，２１６ａ，３１６ａ，４１６ａ）と前記少なくとも１つの開口（１７，１１７，２１７，３１７，４１７）との間に介在された
少なくとも１つの防水性・透湿性機能要素（１８，１１８，４１８）と、
前記機能層（２１３，３１３）の少なくとも１つの機能部分（２１３ａ，３１３ａ）と
を選択的に有していることと、
前記少なくとも１つの透湿層（１６，１１６，２１６，３１６，４１６）が繊維質、多孔質あるいは微孔質の材料から選択された透湿性材料で作られている
ことを特徴とする防水性・透湿性の靴（１０，１００，２００，３００，４００）。
【請求項２】
前記接地体部分（１５，１１５，２１５）は、前記機能層（１３，２１３，３１３）へ密封用ブリッジによって密封されており、
この密封用ブリッジは、少なくとも前記少なくとも１つの開口（１７，１１７，２１７，３１７，４１７）において防水性・透湿性であり、
前記接地体部分（１５，１１５，２１５）および前記機能層（１３，２１３，３１３）へ密封された前記少なくとも１つの機能要素（１８，１１８）によって、あるいは
前記接地体部分（２１５）へ密封され、かつ、前記機能層（２１３）へ一体化された前記少なくとも1つの機能部分（２１３ａ）によって
選択的に設けられている
ことを特徴とする請求項１に記載の靴（１０，１００，２００）。
【請求項３】
前記透湿性材料は、疎水性の上方層と疎水性の中間層と親水性の下方層とが備わっている３次元布地であり、ここで、
前記上方層は、ユーザの足裏の方へ向くように構成され、
前記中間層は、前記上方層を通じてこの中間層の中に導入された水蒸気を移送するとともにそれを前記周辺端縁（１６ａ）へ向けて案内するために、水蒸気のためのいくつかの優先通路（１９）が、この中間層の中に設けられているとともにその主要長手方向に実質的に沿って伸張しており、
前記下方層は、ユーザの足裏から到来して前記上方層および前記中間層を透過した汗をそれ自体の上へ分散させるように構成されている
ことを特徴とする請求項１に記載の靴（１０，１００，２００，３００，４００）。
【請求項４】
前記優先通路（１９）は、この靴（１０，１００，２００，３００，４００）の長手伸張部の方向に対して実質的に横断状であり、前記中間層に、前記長手方向に対して横断状であるいくつかのリブ（２０）がこれらの間に前記優先通路（１９）を画定するために設けられている
ことを特徴とする請求項３に記載の靴（１０，１００，２００，３００，４００）。
【請求項５】
前記上方層は、
前記リブ（２０）の頂上部（２１）を覆う布地の細長片のある構造、または
微細な孔が開けられた連続状布地のある構造
を選択的に有している
ことを特徴とする請求項４に記載の靴（１０，１００，２００，３００，４００）。
【請求項６】
前記上方層は、放散用のいくつかの大穿孔部がある布地によって構成され、前記中間層は、前記大穿孔部に対応するいくつかの空間を有し、前記優先通路は、前記中間層の主要長手方向に互いに沿った前記空間によって画定されている
ことを特徴とする請求項３に記載の靴（１０，１００，２００，３００，４００）。
【請求項７】
前記少なくとも１つの開口（１７，１１７，２１７，３１７）は、前記甲革（１２，１１２，２１２，３１２）の下方端縁（３１，１３１，２３１，３３１）に設けられており、この端縁は、前記少なくとも１つの開口（１７，１１７，２１７，３１７）において、少なくとも水蒸気に対して透過性であって前記少なくとも１つの開口（１７，１１７，２１７，３１７）を通してこの靴（１０，１００，２００，３００）の中へ貫入する物体を際立たせるように構成された少なくとも１つの保護インサート（３２，１３２，２３２，３３２）を備えており、この少なくとも１つの保護インサート（３２，１３２，２３２，３３２）は、前記開口（１７，１１７，２１７，３１７）において、前記甲革（１２，１１２，２１２，３１２）の本体部（１２ａ，１１２ａ，２１２ａ）に取って代わる
ことを特徴とする請求項１〜６のいずれか１つに記載の靴（１０，１００，２００，３００）。
【請求項８】
前記少なくとも１つの保護インサート（３２，１３２，２３２，３３２）は、前記接地体部分（１５，１１５，２１５，３１５）への前記甲革組付体（１１，２１１）の結合部における実質的に周縁全体で、前記甲革（１２，１１２，２１２）の前記本体部（１２ａ，１１２ａ，２１２ａ）に取って代わる
ことを特徴とする請求項７に記載の靴（１０，１００，２００，３００）。
【請求項９】
前記少なくとも１つの保護インサート（３２，１３２，２３２，３３２）は、
ネット状型の構造、または
編地、織地あるいは３次元布地から作られた構造
を選択的に有している
ことを特徴とする請求項７または８に記載の靴（１０，１００，２００，３００）。
【請求項１０】
前記少なくとも１つの保護インサート（３２，１３２，２３２，３３２）は、これらの中における水の吸い取りを際立たせるために、単繊状繊維から作られている
ことを特徴とする請求項７〜９のいずれか１つに記載の靴（１０，１００，２００，３００）。
【請求項１１】
前記少なくとも１つの保護インサート（３２，１３２，２３２，３３２）は、バンドのように形成されていて実質的に２０ｍｍ〜４０ｍｍからなる幅があり、１つの中心部分といくつかの側方細長片とを備え、これらの側方細長片は、前記少なくとも１つの保護インサート（３２，１３２，２３２，３３２）の前記長手伸張部を前記接地体部分（１５，１１５，２１５，３１５）の形状および前記甲革（１２，１１２，２１２）の形状に適合させるために、弾性的に伸張可能であり、かつ、少なくとも部分的に弾性変形可能であり、弾性変形し、ここで、前記少なくとも１つの保護インサート（３２，１３２，２３２，３３２）は、前記少なくとも１つの開口（１７，１１７，２１７，３１７）において、前記甲革（１２，１１２，２１２）の前記本体部（１２ａ，１１２ａ，２１２ａ）に取って代わり、前記側方細長片の第１のものは前記甲革（１２，１１２，２１２）の前記本体部（１２ａ，１１２ａ，２１２ａ）へ接合され、前記側方細長片の第２のものは前記接地体部分（１５，１１５，２１５，３１５）へ接合されている
ことを特徴とする請求項７〜１０のいずれか１つに記載の靴（１０，１００，２００，３００）。
【請求項１２】
前記少なくとも１つの保護インサート（１３２）に、前記甲革（１１２）の前記本体部（１１２ａ）への、かつ、前記接地体部分（１１５）へのその結合のために適合されているポリマー材料から作られた側方テープ（１３２ａ，１３２ｂ）が設けられており、これらの側方テープ（１３２ａ，１３２ｂ）は、防水性密封部を形成するために、前記少なくとも１つの機能要素（１１８）に一体化されている
ことを特徴とする請求項７〜１１のいずれか１つに記載の靴（１００）。
【請求項１３】
前記甲革（１２，１１２）の下方端縁（３１，１３１）と、そこへ前記少なくとも１つの開口（１７，１１７）で接合された前記少なくとも１つの機能要素（１８，１１８）とは、この機能要素（１８，１１８）を防水・透湿状態に密封するために、「ＡＧＯ靴型成形法」として知られた作業方法によって、前記少なくとも１つの透湿層（１６，１１６）の下方に設けられた中底（３３，１３３）の下方で折り返されており、前記少なくとも１つの機能要素（１８，１１８）は、防水性密封部を形成するために、前記中底（３３，１３３）の下方に接着されている
ことを特徴とする請求項７〜１２のいずれか１つに記載の靴（１０，１００）。
【請求項１４】
前記甲革（１２，１１２）の下方端縁（３１，１３１）と、そこへ前記少なくとも１つの開口（１７，１１７）で接合された前記少なくとも１つの機能要素（１８，１１８）とは、この機能要素（１８，１１８）を防水・透湿状態に密封するために、これらの端部で、前記少なくとも１つの透湿層（１６，１１６）の下方に設けられた中底（３３，１３３）の周辺端縁へ縫い合わされている
ことを特徴とする請求項７〜１２のいずれか１つに記載の靴（１０，１００）。
【請求項１５】
前記接地体部分（１５，１１５）の少なくとも１つの上方層を形成する材料が、前記少なくとも１つの保護インサート（３２，１３２）を透過するとともに、前記少なくとも１つの透湿層（１６，１１６）の前記周辺端縁（１６ａ，１１６ａ）に対向する前記保護インサート（３２，１３２）の少なくとも一部分を固定されない状態に残し、前記少なくとも１つの保護インサート（３２，１３２）を透過した前記材料は、防水性密封部を形成するために、前記少なくとも１つの機能要素（１８，１１８）へ捕捉されている
ことを特徴とする請求項１３または１４に記載の靴（１０，１００）。
【請求項１６】
前記少なくとも１つの保護インサートに、ポリマー材料から作られたいくつかの側方テープが設けられ、これらの側方テープは、前記甲革の前記本体部および前記接地体部分へのその結合のために適合され、前記側方テープは、防水性密封部を形成するために、前記少なくとも１つの機能要素に一体化されている
ことを特徴とする請求項７〜１１のいずれか１つに記載の靴。
【請求項１７】
前記機能層（２１３）の前記少なくとも１つの機能部分（２１３ａ）は、その機能層（２１３）の端縁を構成し、前記機能層（２１３）は、前記甲革（２１２）へ透湿状態に接合されている
ことを特徴とする請求項７〜１１および１６のいずれか１つに記載の靴（２００）。
【請求項１８】
前記甲革（２１２）の前記下方端縁（２３１）と、そこへ前記少なくとも１つの開口（２１７）で接合された前記少なくとも１つの機能部分（２１３ａ）とは、その機能部分（２１３ａ）を防水・透湿状態に密封するために、「ＡＧＯ靴型成形法」として知られた作業方法によって、前記少なくとも１つの透湿層（２１６）の下方に設けられた中底（２３３）の下方で折り返されており、前記少なくとも１つの機能部分（２１３ａ）は、防水性密封部を形成するために、前記中底（２３３）の下方に接着されている
ことを特徴とする請求項７〜１１および１６のいずれか１つに記載の靴（２００）。
【請求項１９】
前記甲革（２１２）の前記下方端縁（２３１）と、そこへ前記少なくとも１つの開口（２１７）で接合された前記少なくとも１つの機能部分（２１３ａ）とは、その機能部分（２１３ａ）を防水・透湿状態に密封するために、それらの端部において、前記少なくとも１つの透湿層（２１６）の下方に設けられた中底（２３３）の周辺縁部（２３３ａ）へ縫い合わされている
ことを特徴とする請求項７〜１１および１６のいずれか１つに記載の靴（２００）。
【請求項２０】
前記接地体部分（２１５）の少なくとも１つの上方層を形成する材料は、前記少なくとも１つの保護インサート（２３２）を透過するとともに、前記少なくとも１つの透湿層（２１６）の前記周辺端縁（２１６ａ）に対向する前記保護インサート（２３２）の少なくとも一部分を固定されない状態に残し、前記少なくとも１つの保護インサート（１３２）を透過した前記材料は、防水性密封部を形成するために、前記少なくとも１つの機能部分（２１３ａ）へ捕捉されている
ことを特徴とする請求項１８または１９に記載の靴（２００）。
【請求項２１】
前記機能層（３１３）は、足挿入空間（Ａ）を囲むために、ソックス体のように成形されており、ここで、前記機能層（３１３）は前記透湿層（３１６）を収容しており、前記少なくとも１つの機能部分（３１３ａ）は、前記甲革（３１２）へ透湿状に接合された前記機能層（３１３）の側方細長片によって構成されている
ことを特徴とする請求項７〜１１および１６のいずれか１つに記載の靴（３００）。
【請求項２２】
前記甲革（３１２）の前記下方端縁（３３１）は、「ＡＧＯ靴型成形法」として知られた作業方法によって、前記機能層（３１３）の足底部分（３１３ｂ）の下面へ周辺で密封された中底（３３３）の下方で、折り返されているとともに接着されている
ことを特徴とする請求項７〜１１、１６および２１のいずれか１つに記載の靴（３００）。
【請求項２３】
前記接地体部分（３１２）の少なくとも１つの上方層を形成する材料は、前記少なくとも１つの保護インサート（３３２）を透過するとともに、前記少なくとも１つの透湿層（３１６）の前記周辺端縁（３１６ａ）に対向する前記保護インサート（３３２）の少なくとも一部分を固定されない状態に残し、前記少なくとも１つの保護インサート（３３２）を透過した前記材料は、防水性密封部を形成するために、前記中底（３３３）へ捕捉されている
ことを特徴とする請求項２１に記載の靴（３００）。
【請求項２４】
前記甲革の前記下方端縁は、その端部で、前記少なくとも１つの透湿層の下方に設けられた中底の周辺端縁へ縫い合わされている
ことを特徴とする請求項７〜１１、１６および２１のいずれか１つに記載の靴。
【請求項２５】
前記接地体部分の少なくとも１つの上方層を形成する材料は、前記少なくとも１つの保護インサートを透過するとともに、前記少なくとも１つの透湿層の前記周辺端縁に対向する前記保護インサートの少なくとも一部分を固定されない状態に残し、前記少なくとも１つの保護インサートを透過した前記材料は、防水性密封部を形成するために、前記機能層の前記足底部分の周辺領域へ捕捉されている
ことを特徴とする請求項２４に記載の靴。
【請求項２６】
前記少なくとも１つの開口（４１７）は、前記接地体部分（４１５）の上方端縁（４１５ａ）に設けられ、前記上方端縁（４１５ａ）は、前記少なくとも１つの開口（４１７）において、少なくとも水蒸気に対して透過性であってこの靴（４００）の中へ前記少なくとも１つの開口（４１７）を通して貫入する物体を際立たせるように適合された少なくとも１つの保護インサート（４３２）を備え、前記少なくとも１つの保護インサート（４３２）は、前記開口（４１７）において前記上方端縁（４１５ａ）の本体部に取って代わり、前記少なくとも１つの機能要素（４１８）は、前記少なくとも１つの保護インサート（４３２）に対向している
ことを特徴とする請求項２〜６のいずれか１つに記載の靴（４００）。
【請求項２７】
前記少なくとも１つの機能要素（４１８）の上部フラップ（４１８ａ）が、前記少なくとも１つの透湿層（４１６）の上方で折り返され、かつ、防水性密封部を形成するために、防水性・透湿性中底（４３３）の下方に結合されており、前記少なくとも１つの機能要素（４１８）の下部フラップ（４１８ｂ）が、前記少なくとも１つの透湿層（４１６）の下方で折り返され、かつ、防水性密封部を形成するために、前記接地体部分（４１５）へ結合されている
ことを特徴とする請求項２６に記載の靴（４００）。
【請求項２８】
前記機能層（４１３）は、ソックス体のように成形され、かつ、前記中底（４３３）の上方に周縁で密封された足底部分（４１３ａ）を有している
ことを特徴とする請求項２７に記載の靴（４００）。
【発明の詳細な説明】
【技術分野】
【０００１】
この発明は防水性・透湿性の靴に関するものである。そのような靴は、限定はされないものの特に安全靴型のものなどである。
【背景技術】
【０００２】
靴は、快適なものであるために、内側の局所雰囲気と外側の環境との間における熱および水蒸気の適正な交換を保証しなければならない、ということが知られている。
【０００３】
防水靴を供給する分野では、その靴の熱交換および水蒸気透過を可能にし、液体状態にある水の不透過性を保障する点で、ますます効率的なかつ信頼できる構造を確認するために、上記必要性が強く感じられている。
【０００４】
具体的には、現在もっぱら市販されている防水性・透湿性の靴は、その甲革およびその底革を介して水蒸気透過が可能になるように構成されている。
【０００５】
甲革に関しては、液体状態にある水に対して不透過性である透湿性材料から作られたライニングの備わった靴が市販されている。公知の靴のうちいくつかの型式のものには、防水性と透湿性とを同時に備えた材料によって裏張りされあるいは取って代わった甲革の一部分がある。
【発明の概要】
【発明が解決しようとする課題】
【０００６】
しかしながら、足の中に存在する汗腺の大部分が靴の足載せ部すなわち中底によって覆われる足裏に分布しているので、甲革の透湿性だけでは、靴の内側に生じる汗を放散させてユーザに申し分のない快適性を充分に保証することはできない。
【０００７】
このため、足裏の中に発生した汗は容易に蒸発することがなく、湿気あるいは濡れの不愉快な感情が引き起こされる。このことは、足の側方部および上方部を最小限に覆うサンダルのような開放靴においても生じる。
【０００８】
このような理由から、防水性かつ透湿性である材料から作られて必要に応じて保護層および中物芯に一体化される層が備わり、足裏によって占められた靴の領域を経る汗の効果的な流出を全体として可能にする底革の設けられた靴が、知られている。
【０００９】
この場合において、一般に、これらの靴の底革は、例えばヨーロッパ特許出願ＥＰ０６１９９５９号およびＥＰ００８０７１０号の明細書におけるなめし革のような透湿性材料から作られている。代替品としてのそれらの底革には、ヨーロッパ特許出願ＥＰ０８５８２７０号およびＥＰ１５４５１５３号の明細書におけるように、それらの厚さを貫通する穴あるいは開口の設けられた底革がある。
【００１０】
靴の中における足裏の静止状配置に対して実質的に平行に溝を設けることもまた可能であり、ヨーロッパ特許出願ＥＰ１０８９６４２号およびＥＰ１１８５１８３号の明細書におけるように、水蒸気は、その溝を通じて、接地層に対して側方へ出て行くことができる。
【００１１】
これらの靴は実際のところ、足裏での水蒸気透過および熱発散という問題に対する評価可能な解決策を有しているものの、それらにはまだ、ささいな欠点がいくつか存在している。
【００１２】
具体的に説明すると、底革の構造に関する取り組みを人が意図しないときには、底革の開口が、厚さを貫通して設けられているとともに横断状開口の場合に底革のポリマー材料の中に設けられているときにも、また、底革における脆弱な防水・透湿層の困難な挿入によるときにも認めることができる構造上および経済上の複雑化に直面するのを防止するためには、足裏の下方に配置された領域から地面に最も近くかつ接地層によって保護されている甲革の下方端縁を経て到来する汗の流出が可能になるように、底革の一部を甲革の内側に挿入して靴の構造を改良することが望ましい。
【００１３】
さらにまた、国際特許出願ＷＯ２００９／１４９８８６号およびＷＯ２００９／１４９８８７号の各明細書に開示された靴構成方法が現在知られている。
【００１４】
これらの構成方法には、接地層に隣接する下方端縁に設けられた複数の側方開口のある甲革が実質的に存在している。
【００１５】
足挿入シートの防水性は、ソックス体のように閉じられて靴の内側を完全に裏張りする防水性・透湿性ライニングによってもたらされている。
【００１６】
空気透過性の透湿層が組付中底の下方であって防水性接地層の上方に配置されている。
【００１７】
この透湿層は３次元布地で作られており、この層によって、水蒸気が、ユーザの足裏に対して垂直方向に通過し、次いで、透湿層の端縁が対向する上記側方開口へ向かって、足裏に対して実質的に平行である方向に流出することができる。
【００１８】
このような構造によれば、ソックス体状ライニングの内側における水の浸透は阻止されるものの、水が、甲革の側方開口を通して漏れ出すとともに、透湿層と、組付中底と、ソックス体状ライニングの外側に配置された他の任意の充填材層とを湿らせるおそれがあるという不都合がある。
【００１９】
このため、防水性ソックス体よりも低い透湿層および他のいくつかの層に染み込む水は、滞留しがちであり、マイナスに作用する複数の欠点を生じさせる。
【００２０】
具体的に説明すると、滞留した水によって、それが染み込む透湿層を経る水蒸気透過の可能性が損なわれる。
【００２１】
さらに、滞留した水は、蒸発することによって、熱を吸収するとともにユーザの足裏の冷却を引き起こし、とりわけ、降雨量がより多くてそのため靴の使用時における水の浸透のおそれがより大きい季節にほぼ対応する寒い季節の間においては、靴の快適性を損なう。
【００２２】
しかも、透湿層に染み込み、また場合によっては防水性ライニングの外側にある他のいくつかの層にも染み込む水によって、靴の重さが増大し、とりわけユーザが靴を長時間使用すると疲れやすくなる。
【００２３】
そのうえ、透湿層および場合によっては防水性ライニングの外側にある他のいくつかの層は、靴の寿命期間中に水が周期的に染み込み、靴の性能を損なうことがある不健全な細菌培養基の増殖のための優先部位になりがちである。
【００２４】
加えて、いずれも防水性であるライニングと接地層との間に含まれていて水が染み込んだ靴の材料は、長時間、湿ったままあるいは湿気の高いままで残りがちであり、ゆっくりと乾燥するため、急速に劣化する。
【００２５】
さらにまた、適切な保護物がないときには、汚れた水とほこりによって甲革の開口と透湿層とが塞がれることがあり、その透湿機能が致命的に損なわれる。
【００２６】
この発明の狙いは、現在知られている靴のいくつかの制約および欠点を克服することができ、とりわけ透湿層への染み込みを防止することができるとともに、その透湿層を介する水蒸気透過のための効率的特性を維持する靴を提供することである。
【００２７】
この狙いの範囲内で、この発明の１つの目的は、靴の底革から到来する水の透湿層への染み込みを防止することができるとともに、靴の構造を堅くすることのない柔軟なかつ曲がりやすい透湿層を備えることができる靴を考案することである。
【００２８】
この発明の別の目的は、構造的に簡単であり、使用しやすく、また低コストで製造することのできる靴を考案することである。
【課題を解決するための手段】
【００２９】
この狙い、これらの目的、および後にいっそう明らかになるであろう他の諸目的は、
防水性・透湿性の靴であって、
少なくとも１つの甲革とこれの内側にある防水性・透湿性機能層とから構成された甲革組付体と、
防水性材料から作られて前記甲革組付体へその下方で接合された接地体部分と、
この靴の内側に画定された足挿入空間の下方に設けられてユーザの足を収容する少なくとも１つの透湿層と
を備えてなり、
少なくとも１つの開口が設けられ、この開口は、この靴に対して側方にあり、前記接地体部分への前記甲革組付体の結合の領域に近接しており、前記少なくとも１つの開口は、前記少なくとも１つの透湿層の周辺端縁へ向かって開放しており、
この靴は、前記少なくとも１つの開口から到来する水が前記少なくとも１つの透湿層へ接近するのを阻止するように、前記周辺端縁と前記少なくとも１つの開口との間に介在された
少なくとも１つの防水性・透湿性機能要素と、
前記機能層の少なくとも１つの機能部分と
を選択的に有していることと、
前記少なくとも１つの透湿層が繊維質、多孔質あるいは微孔質の材料から選択された透湿性材料で作られている
ことを特徴とする防水性・透湿性の靴によって達成される。
【図面の簡単な説明】
【００３０】
この発明のさらに別の諸特性および諸利点は、添付図面において非限定的な例として示されたこの発明による靴の、好ましいが限定的ではないいくつかの実施形態の記載から、いっそう明らかになるであろう。
【００３１】
【図１】図１は、この発明による靴の細部の拡大断面斜視図である。
【図２】図２ａは、この発明による靴の１つの構成要素の斜視図である。図２ｂ、図２ｃおよび図２dは、この発明による靴の、図２ａに示された構成要素の代替実施形態におけるいくつかの細部の拡大斜視図である。
【図３】図３は、この発明による靴の第１代替実施形態における細部の拡大断面図である。
【図４】図４は、この発明による靴の第２代替実施形態における細部の拡大断面図である。
【図５】図５は、この発明による靴の上記第２代替実施形態の変形例における細部の拡大断面図である。
【図６】図６は、この発明による靴の第３代替実施形態における細部の拡大断面図である。
【図７】図７は、この発明による靴の第４代替実施形態における細部の拡大断面図である。
【発明を実施するための形態】
【００３２】
これらの図面によれば、参照符号１０が防水性・透湿性の靴を全体として表わしており、この靴１０は、限定はされないものの特に安全靴型のものなどであり、
甲革組付体１１と、接地体部分１５と、透湿層１６とを備えてなり、
甲革組付体１１は、透湿性あるいは穿孔されているのが好都合である甲革１２と、この甲革１２に対して内側にある防水・透湿機能層１３と、さらに好都合には内側ライニング１４とから構成され、
接地体部分１５は、防水性材料から作られて、甲革組付体１１へその下方で接合され、
透湿層１６は、ユーザの足を収容するように靴１０の内側に画定された足挿入空間Ａの下方に設けられている。
【００３３】
いくつかの開口１７が設けられており、これらは、靴１０に関して側方にあり、接地体部分１５への甲革１２の結合領域に近接している。これらの開口１７は透湿層１６の周辺端縁１６ａへ向かって開いている。
【００３４】
この発明によれば、この靴１０には、開口１７から到来する水が透湿層１６へ接近するのを阻止するために、周辺端縁１６ａと開口１７との間に介在された少なくとも１つの防水・透湿機能要素１８が備わっている点に特徴がある。
【００３５】
機能要素１８は透湿層１６の周辺端縁１６ａのすべてを取り囲んでいる。
【００３６】
接地体部分１５は、密封用ブリッジによって機能層１３へ密封されている。この密封用ブリッジは、少なくとも開口１７の部分において防水性・透湿性であり、また、接地体部分１５および機能層１３へ密封された機能要素１８によって設けられている。
【００３７】
この発明による透湿層１６は、繊維質、多孔質あるいは微孔質の材料から選択された透湿性材料で作られている。具体的に説明すると、このような手法では、上記透湿層は、ユーザの体重を支えるために圧縮に対して充分に抵抗性があるのが有利であり、また、靴１０の使用中にその変形を妨げることなく水蒸気の循環を可能にして、ユーザの快適性を充分に利する。
【００３８】
好ましいのは、上記透湿性材料が、疎水性の上方層と疎水性の中間層と親水性の下方層とが備わっている３次元布地であることであり、ここで、
上方層は、ユーザの足裏の方へ向くように構成され、
中間層は、上記上方層を通じてこの中間層の中に導入された水蒸気を移送するとともにそれを周辺端縁１６ａへ向けて案内するために、水蒸気のためのいくつかの優先通路１９が、この中間層の中に設けられているとともにその主要長手方向に実質的に沿って伸張しており、
下方層は、ユーザの足裏から到来して上記上方層および上記中間層を透過した汗をそれ自体の上へ分散させるように構成されている。
【００３９】
有利であるのは、優先通路１９が、靴１０の長手伸張部の方向に対して実質的に横断状であり、上記中間層に、上記長手方向に対して横断状であるいくつかのリブ２０がこれらの間に優先通路１９を画定するために設けられていることである。
【００４０】
有利であるのは、上記上方層に、リブ２０の頂上部を覆う布地の細長片のある構造が備わっていることである。
【００４１】
好都合であるのは、上記下方層が、綿、リンネル、セルロース、合成材料あるいは他の同等繊維から選択された材料からなる繊維で作られていることである。
【００４２】
具体的には、好ましい１つの解決策では、上記下方層は、例えば変性ナイロン６あるいは変性ナイロン６６のようなポリアミドの繊維から作られている。
【００４３】
上記中間層は、いくつかのリブ２０を画定するために、上記上方層と上記下方層とで織り合わされていると好都合である。
【００４４】
これらのリブ２０は、２ｍｍ以上の厚さがあると好都合であり、３ｍｍ〜４ｍｍの厚さに構成されているのが好ましい。
【００４５】
さらにまた、細長片のある上記上方層には、実質的に２ｍｍ以上で６ｍｍ以下の上記細長片の幅があると有利であり、約４ｍｍの幅があるのが好ましい。
【００４６】
優先通路１９には、連続する２つのリブ２０どうしの間の空間によって画定された中程度の幅があると好都合であり、その幅は、実質的には３ｍｍ〜８ｍｍからなり、好ましくは４ｍｍに等しい。
【００４７】
非限定的な代案の例として図２ｂに示されたこの発明による透湿層の実施の不確定な諸要件に左右されるが、上記上方層には、微細な孔が開けられた連続状布地２２の備わった構造がある。
【００４８】
この事例では、上記中間層もまた、微細な孔が開けられた布地から作られているとともに、上記リブを設けるためにひだ付けされている。
【００４９】
代案としてのこの発明の付加的実施形態では、不確定な諸要件に左右されるが、上記上方層は、非限定的な例として図２ｃおよび図２ｄに示されたような放散用の大穿孔部がある布地によって構成されていると好都合である。ここで、上記上方層は参照符号２３および２４によって示されており、また、それぞれの大穿孔部は参照符号２５および２６によって示されている。
【００５０】
この事例では、参照符号２７および２８によってそれぞれ示された上記中間層に、大穿孔部２５および２６にそれぞれ対応して空間２９および３０があると好都合である。上記優先通路は、上記中間層２７および２８の主要長手方向に沿った上記空間の連続によって画定されている。
【００５１】
有利であるのは、開口１７が甲革１２の下方端縁３１に設けられており、この端縁３１が、開口１７において、少なくとも水蒸気に対して透過性であって開口１７を通して靴１０の中へ貫入する物体を際立たせるように構成されたいくつかの保護インサート３２を備えていることである。
【００５２】
これらの保護インサート３２は、開口１７と、保護インサート３２が対向している機能要素１８とにおいて、甲革１２の本体部１２ａに取って代わるものであるのが好ましい。
【００５３】
添付図面には示されていないが、この発明の代替実施形態では、上記接地体部分への上記甲革組付体の結合部における実質的に周縁全体で、上記本体部に取って代わる上記保護インサートがただ１つ存在していると好都合である。
【００５４】
添付図面に示されていない代わりのいくつかの変形例では、上記開口と、その中で上記甲革の上記本体部に取って代わる上記保護インサートとは、穿孔されているかあるいはいかなる場合にも透湿性であるウェルトあるいはバンドによって美的に隠されているのが有利である。
【００５５】
保護インサート３２は、実施の不確定な諸要件に左右されるが、ネット状型の構造、または編地、織地あるいは３次元布地から作られた構造を選択的に有していると好都合である。
【００５６】
具体的には、保護インサート３２は、これらを介する水の吸い取りを際立たせるために、単繊状繊維から作られているのが好ましい。
【００５７】
保護インサート３２は、バンドのように形成されていて実質的に２０ｍｍ〜４０ｍｍからなる幅があると好都合である。さらにまた、これらの保護インサート３２には、特に１つの中心部分といくつかの側方細長片とが備わり、これらの側方細長片は、保護インサート３２の上記長手伸張部を接地体部分１５の形状および甲革１２の形状に適合させるために、弾性的に伸張可能であり、かつ、少なくとも部分的に弾性変形可能であり、弾性変形する。ここで、保護インサート３２は、開口１７において甲革１２の本体部１２ａに取って代わっている。
【００５８】
上記中心部分には、横断状繊維構造、ネット構造、編地構造、織地構造、および３次元布地構造の中から選択された構造が備わっていると好都合である。
【００５９】
上記側方細長片の第１のものは甲革１２の本体部１２ａへ接合されていると好都合であり、上記側方細長片の第２のものは接地体部分１５へ接合されていると好都合である。
【００６０】
このようにして、保護インサート３２は、湾曲しており、上記側方細長片を備えている甲革１２の下方縁部３１を、とりわけ靴１０の爪先領域およびかかと領域を起伏あるいはしわが実質的にない状態に維持するために、上記側方細長片の中を特異な状態に伸張している。このとき、下方端縁３１には最大曲率がある。
【００６１】
このことによって、保護インサート３２が備わっているかあるいはそれらによって形成されていて、甲革１２と接地体部分１５と間の羽根状線の上方に露出された状態に残る下方端縁３１の一部分の美観を改善することができる。
【００６２】
有利であるのは、機能層１３および機能要素１８が、発泡ポリテトラフルオロエチレン、つまりｅ−ＰＴＦＥ、ポリウレタン、つまりＰＵ、および同種の材料の中から選択されると好都合である防水性・透湿性ポリマー材料から作られていることである。
【００６３】
機能要素１８は、好ましくはその透湿性を損なうことがないように、従って、例えば接着剤によるスポット接着によって、あるいはホットプレス処理によって、それ自体公知の方法で、甲革１２の下方端縁３１の内面と保護インサート３２の内面とに接合されていると好都合である。
【００６４】
機能要素１８は、添付図面において破線部分によってかつ参照符号Ｂによって表された第１密封領域を形成するために、好ましくは接着あるいは高周波溶接によって、下方端縁３１の外面に密封されているのが好ましい。
【００６５】
甲革１２の下方端縁３１と、ここへ開口１７において接合されてこれらの開口１７を防水・透湿状に密封する機能要素１８とは、「ＡＧＯラスティング（ＡＧＯ靴型成形）法」として知られた作業方法によって、組付中底３３の下方で折り返されていると好都合である。この組付中底３３は、水に対する密封部をもたらすように適合された防水性材料から作られているのが有利であり、また、透湿層１６の下方に設けられているのが有利である。機能要素１８は、防水性密封部を形成するために、中底３３の下方に接着されている。
【００６６】
靴の代替実施形態におけるいくつかの不確定な諸要件によるが、上記中底は、非防水性材料から作られていると好都合であり、または、水に対する密封部をもたらすように適合されているが水蒸気に対しては透過性である防水性材料から作られているか、あるいは水蒸気循環のために適合された領域において穿孔されていると有利である。
【００６７】
好ましいのは、機能層１３に、支持用メッシュによって覆われた足挿入空間Ａの外側へ向けられたその面が備わっていることである。このメッシュは、添付図面には示されていないが、例えばナイロンから、それ自体知られた方法で作られる。
【００６８】
機能層１３は、接着剤のスポットでの積層による接着によって、その積層物の透湿性を損なうことがないようにして、ライニング１４に一体化されているのが有利である。その代わりに、甲革１２は、機能層１３に一体化されていないか、あるいは機能層１３に局部だけで一体化されている。
【００６９】
好都合であるのは、機能層１３に、少なくとも１つの足底部分１３ａと、足挿入空間Ａを囲むソックス体を形成するために足底部分１３ａへ接合された少なくとも1つの側方部分１３ｂとが備わっていることである。
【００７０】
従って、ライニング１４には、少なくとも１つの下方部分１４ａと、足挿入空間Ａの内側で機能層１３を覆う少なくとも1つの側方部分１４ｂとが備わっていると、好都合である。
【００７１】
不確定な諸要件に左右されるが、ライニング１４の下方部分１４ａおよび側方部分１４ｂは相異なる材料で作ることができる。
【００７２】
機能層１３の側方部分１３ｂと足底部分１３ａとの間の結合部は、縫い合わせによってもたらされるのが好都合であり、また、感熱接着用防水テープによるかあるいは例えばＵＰＡＣＯ型の防水用接着剤により、それ自体公知であって添付図面には示されていない方法で密封されるのが好都合である。
【００７３】
いくつかの代替変形例では、上記機能層は、その透湿性を損なわないように、例えばスポット接着によるかあるいはホットプレスにより、それ自体公知の方法で、上記甲革へ一体化されていると好都合である。その代わりに、上記ライニングは、上記機能層に一体化されていないか、あるいは上記機能層に局部だけで一体化されている。
【００７４】
不確定な諸要件によるが、さらに記載されていないかあるいは図示されていないこの発明のいくつかの代替実施形態では、上記機能要素へ接合された上記保護インサートは、上記中底の端縁へ縫い合わせによって結合されていると好都合である。
【００７５】
接地体部分１５は、好ましくは、「セメント接着法」として知られた作業方法に応じた接着によって、あるいは、不確定な諸要件に左右されるが、「射出法」として知られた作業方法に応じた型成形によって、甲革組付体１１へ接合される。
【００７６】
機能要素１８は接地体部分１５の上面と中底３３の下面とに密封されている。この機能要素１８は、「セメント接着」作業方法の場合には、好ましくは密封材料による接着によって、水に対する密封部をもたらすように適合された防水性材料から作られているのが有利である。
【００７７】
「射出」作業方法の場合における１つの代替案として、機能要素１８は、好ましくは甲革組付体１１の上において、あるいは、甲革組付体１１へ結合するためのその上方層のうちの１つ、例えば間底のような層において、接地体部分１５を形成するためのポリマー材料を相互型成形することによって、接地体部分１５の上面へ密封されている。
【００７８】
この事例では、接地体部分１５あるいはその上方のいくつか層の１つを形成する材料は、保護インサート３２を、透湿層１６の周辺端縁１６ａに対向するその一部分３２ａが固定されない状態に残るように、透過するのが好都合である。保護インサート３２を透過したこの材料は、添付図面において破線部分によってかつ参照符号Ｃによって表された第２密封領域を画定するために、防水性密封部を形成するために機能要素１８へ捕捉されると好都合である。
【００７９】
機能層１３への機能要素１８の防水性密封と中底３３および機能要素１８への接地体部分１５の防水性密封とは、靴１０の外側環境から甲革１２および開口１７を通して到来する水の浸入を防止するためと、靴１０の内側における足挿入空間Ａを湿気から保護するために、基本的に重要である。
【００８０】
実際に、密封領域ＢおよびＣを設けたことにより、汚れた水は、この発明の不確定な諸要件に左右されるが、透湿層１６と足挿入空間Ａの下方に設けられた他のあらゆる構成要素とへ達することができない。
【００８１】
このように、この発明によれば、接地体部分１５は、開口１７において機能層１３へ防水・透湿状態に密封されている。この密封は、接地体部分１５および機能層１３へ密封されてこれらの間に密封用ブリッジをもたらす機能要素１８によって行われている。
【００８２】
より具体的に説明すると、「ＡＧＯ靴型成形法」として知られた作業方法による靴１０の製造方法では、甲革１２の下方端縁３１と機能要素１８へ接合された保護インサート３２とは、機能要素１８および機能層１３を傷付けるおそれのある鋲あるいは止め釘の使用によらないのが好ましい靴型成形作業で、中底３３の周辺端縁３３ａの下方で折り返されて接着されている。
【００８３】
この靴型成形作業は、爪先靴型成形機として知られた機械で行われるのが好都合であり、その靴型成形機の靴型成形用ペンチは、機能要素１８を引き裂くことがないように、平坦にされ、すなわち締付用の歯あるいはぎざぎざ部が取り除かれている。
【００８４】
中底３３の特別な機能は、機能層１３の足底部分１３ａが、甲革組付体１１の靴型成形における諸工程の間に、上記爪先靴型成形機の足部によって引き裂かれるおそれを防止することである。
【００８５】
この事例では、機能要素１８と中底３３との間の接合は、靴型成形作業において広く用いられる接着剤の使用によって、防水性密封部を形成するために行われると好都合である。この接着剤は、いかなる場合にも中底３３と機能要素１８との間に効果的な防水性密封部を保証することのできる、例えばポリウレタン型あるいはそれと同等のような接着剤である。
【００８６】
有利であるのは、添付図面には示されていないが、靴型成形作業において靴型成形用ペンチが機能要素１８を引き裂くおそれを防止するように適合された、機能要素１８を補強するための補強要素が設けられていることである。
【００８７】
上記補強要素は防水性・熱接着性テープからなっているのが有利であり、そのテープは、弾性的であるとともに、例えばポリウレタン、つまりＰＵのような合成材料から作られているのが好ましい。
【００８８】
上記補強要素の非限定的な一例は、実質的に１１０ｇ／ｍ2〜２４０ｇ／ｍ2に構成された重量があり、現在、ＴｅｃｎｏＧＩ社によって提案されているポリウレタンから作られた密封用接着剤から構成されている。
【００８９】
この発明を実施する第２の代替方法では、添付図面に示されていないが、機能要素および保護インサートは、好ましくは、シュトローベル（Ｓｔｒｏｂｅｌ）型のものであるのが好都合である縫い合わせ法で、あるいは、「ピンチング（ｐｉｎｃｈｉｎｇ）法」として知られた型の縫い合わせによる実質的に同等の方法で、中底の端縁へ接合される。
【００９０】
有利であるのは、「射出」式の作業方法の場合において、中底３３と一体化された甲革組付体１１の表面に接地体部分１５が、射出成形によって、または熱可塑性材料あるいはポリウレタンから選択されるのが好ましいポリマー材料の注入によって、直接、単一体に形成されていることである。
【００９１】
この場合において、中底３３のさらに別の機能は、透湿層１６を型成形する間に接地体部分１５を透湿層１６の形成材料から遮蔽することによって透湿層１６の通気性を維持することからなるのが有利である。
【００９２】
具体的に説明すると、接地体部分１５を構成するポリマー材料は、金型の中に射出されるかあるいは注入されると好都合である。この場合、そのポリマー材料は、機能要素１８を捕捉して防水性密封部を形成し、保護インサート３２を通過するとともに、周辺端縁１６ａに対向する一部分３２ａを固定されない状態に残す。
【００９３】
さらに記載されていないかあるいは添付図面に示されていない構造的変形例では、接地体部分に、例えばポリウレタンから作られた例えば間底と、例えばゴムから作られて接地体として作用する下方層とのような複数の部分が備わっていてもよい。
【００９４】
この事例では、上記間底を形成する材料は、中底に一体化された甲革組付体の表面に射出されると好都合であり、また、接地体は、間底の表面に相互型成形されるかあるいはそこに接着されると好都合である。
【００９５】
「セメント接着」式の作業方法の場合には、密封材料は、
その密封材料が機能要素１８を捕捉するまで保護インサート３２を透過するとともに、周辺端縁１６ａに対向する保護インサート３２の一部分３２ａを固定されない状態に残す保護インサート３２の上と、
水に対する密封部をもたらすように適合された防水性材料から作られているのが有利であり、保護インサート３２に隣接している中底３３の領域の上と
に塗布されると好都合である。
【００９６】
このようにして、接地体部分１５は、防水性密封部との相互接合をもたらすために中底３３に結合された甲革組付体１１へ接合されている。
【００９７】
好都合であるのは、上記密封材料が、シリコーン接着剤、熱可塑性接着剤、例えばＨ．Ｂ．Ｆｕｌｌｅｒ社によって製造されて商標名ＩＰＡＴＨＥＲＭ Ｓ １４／１７６によって現在知られた接着剤あるいはその同等物のようなポリウレタンホットメルト反応型接着剤、ラテックスあるいはポリウレタンから選択されることである。
【００９８】
図３に非限定的な例として示されたこの発明による靴の第１代替実施形態は、ここでは参照符号１００によって全体が表されている。この実施形態は、ここで参照符号１３２によって表された保護インサートにポリマー材料から作られた側方テープ１３２ａおよび１３２ｂが設けられている点で、これまで実質的に記載された先の実施形態とは異なっている。これらのテープ１３２ａおよび１３２ｂは、それらの側方フラップを画定するとともに、保護インサート１３２の、甲革１１２の本体部１１２ａおよび接地体部分１１５への結合のために適合されている。
【００９９】
好都合であるのは、これらの側方テープ１３２ａおよび１３２ｂが防水性密封部を形成するために、機能要素１１８に一体化されていることである。
【０１００】
側方テープ１３２ａおよび１３２ｂは例えば、ポリ塩化ビニル、つまりＰＶＣから、あるいは熱可塑性ポリウレタン、つまりＴＰＵから作られているのが好都合であり、また、保護インサート１３２へ縫い合わされているのが好都合である。
【０１０１】
具体的に説明すると、第１側方テープ１３２ａは甲革１１２の本体部１１２ａの端縁へ縫い合わされているのが好ましく、また、第２側方テープ１３２ｂは接着によって機能要素１１８へ接合されているのが好ましい。
【０１０２】
側方テープ１３２ａおよび１３２ｂによれば、保護インサート１３２の機能要素１１８への防水性密封結合をもたらすことが容易になる。その理由は、機能要素１１８の外面に第１密封領域Ｂを、また、接地体部分１１５の上面に第２密封領域Ｃを設けるために、これらの側方テープを機能要素１１８の外面へ容易に接着することができ、あるいは高周波溶接することができるからである。
【０１０３】
このように、この発明によれば、接地体部分１１５は、開口１１７において機能層１１３へ防水・透湿状態に密封されている。この密封は、接地体部分１１５および機能層１１３へ密封されてこれらの間に密封用ブリッジをもたらす機能要素１１８によって行われている。
【０１０４】
この実施形態においてもまた、甲革１１２の下方端縁１３１と、開口１１７でそこへ接合された機能要素１１８であって上記下方端縁１３１とこの機能要素１１８とを防水・透湿状態に密封するための機能要素１１８とは、「ＡＧＯ靴型成形法」として知られた作業方法によって、折り返されていると好都合である。ここで、折り返される箇所は、透湿層１１６の下方に設けられていて水に対する密封をもたらすように適合された防水性材料から作られているのが有利である中底１３３の下方である。機能要素１１８は、防水性密封部を形成するために、中底１３３の下方に接着される。
【０１０５】
接地体部分１１５あるいはその上方におけるいくつかの層のうちの１つを形成する材料は、保護インサート１３２を透過するとともに、透湿層１１６の周辺端縁１１６ａに対向する保護インサート１３２の少なくとも一部分を固定されない状態に残す。保護インサート１３２を透過した材料は、防水性密封部を形成するために、機能要素１１８へ捕捉される。
【０１０６】
添付図面に示されていない上記第１代替実施形態の変形例では、甲革と、開口において上記甲革へ接合された機能要素とは、これらを防水・透湿状に密封するために、シュトローベル法としてそれ自体知られた作業方法に従って、これらの端部で、透湿層の下方に設けられた中底の周辺端縁へ縫い合わされているのが有利である。
【０１０７】
好都合であるのは、接地体部分を形成するかあるいはそのいくつかの上方層のうちの１つを形成する材料が、保護インサートを透過するとともに、透湿層の周辺端縁に対向する保護インサートの少なくとも一部分を固定されない状態に残すことである。保護インサートを透過した材料は、防水性密封部を形成するために、機能要素へ捕捉される。
【０１０８】
図４に非限定的な例として示されたこの発明による靴の第２代替実施形態は、ここでは参照符号２００によって全体が表されている。この実施形態は、これまで記載された機能要素によってもたらされた機能が、機能層２１３の少なくとも１つの機能部分２１３ａによって実質的に同等の状況でもたらされる点で、これまで実質的に記載された先の実施形態とは異なっている。
【０１０９】
このようにして、この発明によれば、開口２１７から到来する水の透湿層２１６への接近を阻止するために、機能部分２１３ａは周辺端縁２１６ａと開口２１７との間に介在されている。
【０１１０】
接地体部分２１５は、機能層２１３へ機能部分２１３ａで密封されていると好都合であり、この密封は、接地体部分２１５と機能層２１３の機能部分２１３ａとの間に防水性・透湿性である密封用ブリッジを開口２１７において設けることによって、行われる。
【０１１１】
有利であるのは、機能層２１３が甲革２１２へ透湿状態に接合されているので、機能層２１３の機能部分２１３ａがその機能層２１３の端縁を構成していることである。
【０１１２】
甲革２１２の下方端縁と、そこへ開口２１７で接合された機能部分２１３ａであって甲革２１２の下方端縁と機能部分２１３ａとを防水・透湿状態に密封するための機能部分２１３ａとは、「ＡＧＯ靴型成形法」として知られた作業方法によって、折り返されていると好都合である。ここで、折り返される箇所は、透湿層２１６の下方に設けられていて水に対する密封をもたらすように適合された防水性材料から作られているのが有利である中底２３３の下方である。機能部分２１３ａは、防水性密封部を形成するために、中底２３３の下方に接着される。
【０１１３】
接地体部分２１５あるいはその上方におけるいくつかの層のうちの少なくとも１つを形成する材料は、保護インサート２３２を透過するとともに、透湿層２１６の周辺端縁２１６ａに対向する保護インサート２３２の少なくとも一部分を固定されない状態に残す。保護インサート２３２を透過した材料は、防水性密封部を形成するために、機能部分２１３ａへ捕捉される。
【０１１４】
さらにまた、有利であるのは、ライニング２１４が、ソックス体のように閉じられているとともに透湿層２１６を内側に収容していることであり、この場合に、その下方部分２１４ａが中底２３３の上面へ並列状に配置され、かつ、その側方部分２１４ｂが機能部分２１３ａと透湿層２１６の周辺端縁２１６ａとの間に介在される。
【０１１５】
機能層２１３は、透湿性を損なうことがないように、例えばホットプレス処理によってあるいはスポット接着によって、それ自体公知の方法で、甲革２１２の本体部２１２ａと保護インサート２３２とに適切に一体化されていると、好都合である。
【０１１６】
言い換えると、ライニング２１４は、機能層２１３へ一体化されていないかあるいは局部だけで一体化されているのが好都合である。
【０１１７】
具体的に説明すると、機能層２１３の機能部分２１３ａは、好ましくは機能層２１３の下方端縁に沿った接着あるいは縫い合わせによって、保護インサート２３２へ接合されている。
【０１１８】
一般に、甲革組付体２１１の下方縁部２１１ａには、甲革２１２の下方端縁２３１と、その下方端縁２３１の一部であって機能層２１３へ接合された保護インサート２３２とが備わっている。この下方縁部２１１ａは、不確定な諸要件に左右されるが、縫い合わせによって、あるいは「ＡＧＯ靴型成形法」として知られた作業方法によって、中底２３３へ一体化されているのが有利である。
【０１１９】
具体的に説明すると、「ＡＧＯ靴型成形」の作業方法においては、添付図面に示されていないが、機能層２１３のための補強要素が存在しているのが好都合である。この補強要素は、靴型成形作業において靴型成形用ペンチが機能層２１３を引き裂くおそれを防止するように適合される。
【０１２０】
上記補強要素は防水性・熱接着性テープからなっているのが有利であり、そのテープは、弾性的であるとともに、合成材料、例えばポリウレタン、つまりＰＵから作られているとともに、実質的に１１０ｇ／ｍ2〜２４０ｇ／ｍ2の重量があり、現在、ＴｅｃｎｏＧＩ社によって提案されているようなテープであるのが好ましい。
【０１２１】
図５において非限定的な例として示されている、この発明におけるこの実施形態の構造的変形例では、甲革２１２の下方端縁２３１と、そこへ開口２１７において接合された機能部分２１３ａであって上記下方端縁２３１とこの機能部分２１３ａとを防水・透湿状に密封するための機能部分２１３ａとは、好ましくは、シュトローベル型のものであるのが好都合である縫い合わせ法で、あるいは、「ピンチング法」として知られた型の縫い合わせによる実質的に同等の方法で、それらの端部において中底２３３の周辺縁部２３３ａへ接合されている。
【０１２２】
この事例においてもまた、有利であるのは、接地体部分２１５あるいはその上方におけるいくつかの層のうちの１つを形成する材料が、保護インサート２３２を透過するとともに、透湿層２１６の周辺端縁２１６ａに対向する保護インサート２３２の少なくとも一部分を固定されない状態に残すことである。保護インサート２３２を透過した材料は、防水性密封部を形成するために、周辺端縁２１６ａと保護インサート２３２との内側に沿って並ぶ機能部分２１３ａへ捕捉される。
【０１２３】
中底２３３へ接合された甲革組付体２１１への接地体部分２１５の接合は、「セメント接着法」として知られた作業方法に応じた接着によって、あるいは、不確定な諸要件に左右されるが、「射出法」として知られた作業方法に応じた型成形によってもたらされるのが有利である。
【０１２４】
このようにして、足挿入空間Ａの防水性密封は、
「ＡＧＯ靴型成形」型式の作業方法の場合には、密封部を設けるために、機能層２１３の機能部分２１３ａを中底２３３と接地体部分２１５の上面とに接着することによって、「セメント接着」作業方法においては、密封部を設けるために、接着によって、あるいは代案としての「射出」作業方法の場合には、防水性密封部を設けるために、接地体部分２１５あるいはその上方部材の１つを形成する材料を捕捉することによって、
もたらされた防水性密封用結合によって得られ、または、
縫い合わせによる製造の場合には、この防水性密封用結合は、中底２３３の周辺縁部２３３ａと機能層２１３の機能部分２１３ａとの間に密封用ブリッジを形成する密封用材料であって、機能部分２１３ａへ達するとともに保護インサート２３２を透過する密封用材料によってもたらされ、上記密封用材料は、「セメント接着」作業方法の場合には、接着剤であるかあるいは接地体部分２１５を形成する材料であり、「射出」作業方法の場合には、その上方部材のうちの１つを形成する材料である。
【０１２５】
上記第２実施形態の好ましい変形例では、甲革の本体部に取って代わり、その下方端縁を完全に構成するただ１つの保護インサートが存在している。
【０１２６】
それに応じて、この場合には、機能層の端縁は、上記保護インサートを防水・透湿状に密封して、先の実施形態において説明されたものと実質的に同等である状況で機能要素として作用する。
【０１２７】
図６において非限定的な例として示されたこの発明による靴の第３代替実施形態は、参照符号３００によって全体が表されている。この実施形態は、これまで記載された機能要素によってもたらされた機能が、機能層３１３の少なくとも１つの機能部分３１３ａによって実質的に同等の状況でもたらされる点で、これまで実質的に記載された先の実施形態とは異なっている。
【０１２８】
このようにして、この発明によれば、開口３１７から到来する水の透湿層３１６への接近を阻止するために、機能部分３１３ａは周辺端縁３１６ａと開口３１７との間に介在されている。
【０１２９】
接地体部分３１５は、機能層３１３へ機能部分３１３ａで密封されていると好都合であり、この密封は、接地体部分３１５と機能層３１３の機能部分３１３ａとの間に防水性・透湿性である密封用ブリッジを開口３１７において設けることによって、行われる。
【０１３０】
有利であるのは、機能層３１３が、足挿入空間Ａを囲むために、ソックス体のように成形されていることである。ここで、機能層３１３は透湿層３１６を収容しており、少なくとも１つの機能部分３１３ａは、甲革３１２へ透湿状に接合された機能層３１３の側方細長片によって構成されている。
【０１３１】
甲革３１２の下方端縁３３１は、「ＡＧＯ靴型成形法」として知られた作業方法によって、折り返されているとともに接着されていると好都合である。ここで、折り返される箇所は、機能層３１３の足底部分３１３ｂの下面へ周辺で密封された中底３３３の下方である。
【０１３２】
好都合であるのは、接地体部分３１５あるいはそのいくつかの上方層のうちの１つを形成する材料が、保護インサート３３２を透過するとともに、透湿層３１６の周辺端縁３１６ａに対向する保護インサート３３２の少なくとも一部分を固定されない状態に残すことである。
【０１３３】
添付図面に示されていないこの発明の上記実施形態の変形例では、甲革の下方端縁は、例えばシュトローベル法としてそれ自体知られた作業方法に従って、その端部で、透湿層の下方に設けられた中底の周辺端縁へ縫い合わされているのが好都合である。
【０１３４】
好ましいのは、接地体部分を形成するかあるいはそのいくつかの上方層のうちの１つを形成する材料が、保護インサートを透過するとともに、透湿層の周辺端縁に対向する保護インサートの少なくとも一部分を固定されない状態に残すことである。保護インサートを透過した材料は、防水性密封部を形成するために、機能層の足底部分の周辺領域へ捕捉される。
【０１３５】
有利であるのは、機能層３１３が、足挿入空間Ａの内側でそれを囲むライニング３１４によって覆われていることであり、ここで、足挿入空間Ａは透湿層３１６を収容しているのが有利である。
【０１３６】
機能層３１３は、スポット接着での積層による接着によって、その透湿性を損なうことがないようにして、ライニング３１４に一体化されているのが有利である。その代わりに、甲革３１２は、機能層３１３に一体化されていないか、あるいは機能層１３に局部だけで一体化されている。
【０１３７】
図７に非限定的な例として示されたこの発明による靴の第４代替実施形態は、ここでは参照符号４００によって全体が表されている。この実施形態は、参照符号４１７によって表された開口が接地体部分４１５の上方端縁４１５ａに設けられている点で、これまで実質的に記載された先の実施形態とは一部異なっている。ここで、接地体部分４１５の上方端縁４１５ａには、少なくとも水蒸気に対して透過性であって靴４００の中へ開口４１７を通して貫入する物体を際立たせるように適合された保護インサート４３２が備わっている。
【０１３８】
保護インサート４３２は開口４１７において上方端縁４１５ａの本体部に取って代わるのが好都合であり、機能要素４１８は保護インサート４３２に対向しているのが好都合である。
【０１３９】
甲革４１２の下方端縁４３１は、設けられた中底４３３の下方で、「ＡＧＯ靴型成形法」として知られた作業方法によって折り返されて接着されていると好都合である。この中底４３３は、水に対する密封部をもたらすように適合された防水性材料から作られていると好都合であり、また、水蒸気の循環のために適合されたその中心部分においては透湿性であるかあるいは穿孔されていると好都合である。機能要素４１８の上部フラップ４１８ａが、透湿層４１６の上方で折り返されており、また、図７において参照符号Ｄによって表された破線部分で非限定的な例として示された第１密封部を形成するために、好ましくは密封用接着あるいは高周波溶接によって、防水性密封部を形成するために、中底４３３の下方に結合されている。
【０１４０】
機能要素４１８の下部フラップ４１８ｂが、透湿層４１６の下方で折り返されていると有利であり、また、図７において参照符号Ｅによって表された破線部分で非限定的な例として示された第２密封部を形成するために、好ましくは密封用接着あるいは高周波溶接によって、接地体部分４１５へ結合されている。
【０１４１】
さらにまた、これらのフラップ４１８ａ・４１８ｂは、透湿層４１６へ、その通気性を損なうことがないように、スポット接着によって、あるいはホットプレス処理によって、それ自体公知の方法で、結合されていると好都合である。
【０１４２】
これらのフラップ４１８ａ・４１８ｂどうしの中間にある機能要素４１８の中心部分４１８ｃは、保護インサート４３２とこれが覆う透湿層４１６の周辺端縁４１６ａとの間に介在されていると好都合である。
【０１４３】
さらにまた、機能層４１３は、ソックス体のように成形されていると好都合であり、また、参照符号Ｆによって表された破線部分で非限定的な例として示された第３密封部を形成するために、中底４３３の上方に周縁で防水状に密封された足底部分４１３ａを有していると好都合である。
【０１４４】
このようにして、接地体部分４１５は、密封用ブリッジによって機能層４１３へ密封されている。この密封用ブリッジは、少なくとも開口４１７の部分において防水性・透湿性であり、また、接地体部分４１５へ密封され、かつ、機能層４１３に密封された中底４３３へ密封された機能要素４１８によって設けられている。
【０１４５】
好都合であるのは、足挿入空間Ａの内側で機能層４１３を覆うライニング４１４が存在していることであるが、足挿入空間Ａは機能層４１３およびライニング４１４が囲んでいる。
【０１４６】
有利であるのは、保護インサート４３２が、多孔質であって水蒸気および水に対して透過性である材料、例えば透過性が高い多孔質ゴムあるいは連続気泡型発泡ポリウレタンのような材料から作られていることである。
【０１４７】
どのような場合にも、保護インサート４３２は、完全に透湿性であり、また、従って、水蒸気の透過は、それを介する熱発散と同様に、可能である。
【０１４８】
この発明における上記第４実施形態の好ましい変形例では、上記開口はただ１つ存在するのが有利であり、その開口は靴の周縁全体に影響を及ぼし、上記下方端縁の全体に取って代わる。
【０１４９】
この事例において、上記保護インサートは、ただ１つ存在し、少なくとも水蒸気に対して透過性であるポリマー材料から作られ、靴の底革における伸張部の全体に沿って伸張している上記透湿層の周縁を環状に囲む。
【０１５０】
この発明による靴は、足裏に物が突き刺さるおそれに特にさらされる作業を行うときの安全使用のために特に適合されている。従って、これらの靴には、上記接地体部分の中に挿入され、靴の側方開口を経る水蒸気透過を阻止しあるいは制限することのないように配置された突き刺し防止用金属材料から作られた要素が備わっていると好都合である。
【０１５１】
金属材料から作られた要素の代替品として、炭素繊維、ガラス繊維などのような、同一の強度特性を有する異なった材料を使用することもまた可能である。
【０１５２】
この発明によれば、現在知られている靴の制約および欠点を克服することのできる靴を設けることで、特に、透湿層への染み込みを防止することができ、一方でその透湿層を介する効果的な水蒸気透過能を維持することのできる靴を設けることで、意図された上記の狙いおよび諸目的が達成されることが実際にわかった。
【０１５３】
さらにまた、この発明による靴にあっては、靴の外側から到来する水の透湿層への染み込みを防止することができ、一方で、靴の構造を堅くすることのない柔軟なかつ曲がりやすい透湿層を備えることができる。
【０１５４】
このように構想されたこの発明は多数の改良および変形を行うことができ、それらのすべては添付の特許請求の範囲の適用範囲内にある。さらにまた、すべての細部は技術的に同等の他の諸要素に取り換えることができる。
【０１５５】
例えば、一般に、ユーザの足を収容するために靴の内側に画定された足挿入空間の下方に配置された上記透湿層が少なくとも１つ存在している。
【０１５６】
さらに、一般に、靴の側方に配置された上記開口が少なくとも１つ存在しており、また、これに対応して、甲革の本体部をそこで取り換える上記保護インサートが少なくとも１つ存在している。
【０１５７】
このようにして、また、一般に、この発明による上記靴には、上記開口から到来する水による透湿層への接近を阻止するために、上記周辺端縁と上記開口との間に介在された上記防水・透湿機能要素が少なくとも１つ備わっている。
【０１５８】
実際に、使用される材料は、それらが特定の用途と互換できる限り、不確定な寸法および形状と同様に、諸要件および最新技術に従うどのようなものでもよい。
【０１５９】
この出願がそれから優先権を主張するイタリア特許出願番号ＰＤ２０１１Ａ０００３９５号における開示は、引用によってこの明細書に組み入れられる。
【０１６０】
いずれかの請求項において言及された技術的特徴が参照符号によって表される場合には、それらの参照符号はそれらの請求項の理解度を増大するという目的だけのために含まれているのであり、従って、そのような参照符号は、そのような参照符号によって例示とみなされた各要素の解釈上の効果をどのようにも制限するものではない。
【図１】
2015500106.tif 000003
【図２ａ】
2015500106.tif 000004
【図２ｂ】
2015500106.tif 000005
【図２ｃ】
2015500106.tif 000006
【図２ｄ】
2015500106.tif 000007
【図３】
2015500106.tif 000008
【図４】
2015500106.tif 000009
【図５】
2015500106.tif 000010
【図６】
2015500106.tif 000011
【図７】
2015500106.tif 000012
【国際調査報告】
2015500106.tif 000013
2015500106.tif 000014